(57)【特許請求の範囲】
【請求項１】
梯子取付部位に対して上端部を支点として上下方向に回動自在に取り付けられる跳ね上げ収納式の梯子において、複数の踏み板（１）が支柱（２）に対して前後方向に回動自在に取り付けられると共に、それら各踏み板（１）の下面側に、支柱（２）の長手方向に沿って平行に配した連結ロッド（４）に連結される平行リンクとなるアーム（５）が突設され、前記支柱（２）には、梯子の使用時に、前記連結ロッド（４）の先端部を梯子取付部位（６）に押し当てて前記各踏み板（１）を階段状に並列させると共に、梯子を跳ね上げて前記連結ロッド（４）の先端部が梯子取付部位（６）から離脱した時に、前記各踏み板（１）を前記支柱（２）と平行状態にさせる付勢部材（８）が設けられていることを特徴とする梯子。
【請求項２】
前記連結ロッド（４）の先端部に、前記梯子取付部位（６）に転接するローラー（１１）が取り付けられている請求項１記載の梯子。
【請求項３】
前記付勢部材（８）が、ガスダンパもしくはコイルバネである請求項１又は２記載の梯子。
【請求項４】
前記支柱（２）に、前記踏み板（１）の回動角度を規制するストッパ（１２、１３）が設けられている請求項１、２又は３記載の梯子。
【請求項５】
前記梯子取付部位（６）に、前記連結ロッド（４）の先端部を呑み込む穴（２０）と、該穴（２０）の開口部を開閉自在に塞ぐと共に前記連結ロッド（４）の先端部を押し当てて前記各踏み板（１）を階段状に並列させる蓋体（２１）とが設けられている請求項１、２、３又は４記載の梯子。
【発明の詳細な説明】
【０００１】
【発明の属する技術分野】
本発明は、建築物や乗物などに取り付ける梯子に係り、特に、梯子取付部位に対して上端部を支点として上下方向に回動自在に取り付けられる跳ね上げ収納式の梯子に関する。
【０００２】
【従来の技術】
跳ね上げ収納式の梯子としては、例えば建物の屋根裏部屋へ通ずる出入口となる天井開口部の梯子取付部位に対して上端部を支点として上下方向に回動自在に取り付ける引込み梯子が知られている。
【０００３】
この引込み梯子は、これを収納する天井開口部の開口面積を小さくするために、下半部を上半部の上に折り重ねた二つ折りの状態で水平に跳ね上げて収納する折畳式、あるいは下半部を上方にスライドさせて上半部と重ね合わせた状態で水平に跳ね上げて収納する伸縮式になっているので、収納時の長さは、使用時の半分程度になるが、収納時の奥行（厚さ）は、使用時の２倍となる。
【０００４】
【発明が解決しようとする課題】
ところで、本出願人は、トラックの荷台に構築した荷室の後方開口部にその荷室に出入するための梯子を設け、該梯子を油圧シリンダ等で跳ね上げて荷室の後方開口部に垂直に立てた状態で収納するトラックボディを創案した。
【０００５】
荷室の後方開口部は、開口高さが大きいため、その開口部に設ける梯子は、これを天井開口部に設ける引込み梯子のように二つ折りすることなく、そのまま跳ね上げて荷室の後方開口部に垂直に立てた状態で収納することができるので、収納時における奥行は、折畳式や伸縮式の引込み梯子よりも小さい。
【０００６】
しかし、複数の踏み板が階段状に並列した梯子をそのまま荷室の後方開口部に立てると、各踏み板が荷室の前後方向に出っ張って、その出っ張り分だけ貨物の積載容量及び積載スペースが小さくなるなどの問題を生ずる。
【０００７】
そこで本発明は、梯子を使用するときは、自動的に複数の踏み板が階段状に並列した状態となり、梯子を跳ね上げて収納するときは、各踏み板が梯子の支柱と平行状態になるようにすることを技術的課題としている。
【０００８】
【課題を解決するための手段】
上記の課題を解決するために、本発明は、梯子取付部位に対して上端部を支点として上下方向に回動自在に取り付けられる跳ね上げ収納式の梯子において、複数の踏み板が、支柱に対して前後方向に回動自在に取り付けられると共に、それら各踏み板の下面側に、支柱の長手方向に沿って平行に配した連結ロッドに連結される平行リンクとなるアームが突設され、前記支柱には、梯子の使用時に、前記連結ロッドの先端部を梯子取付部位に押し当てて前記各踏み板を階段状に並列させると共に、梯子を跳ね上げて前記連結ロッドの先端部が梯子取付部位から離脱した時に、前記各踏み板を前記支柱と平行状態にさせる付勢部材が設けられていることを特徴とする。
【０００９】
本発明の梯子は、その使用時に、支柱に設けられた付勢部材が、支柱の長手方向に沿って平行に配された連結ロッドの先端部を梯子取付部位に押し当てて、その連結ロッドに平行リンクとなるアームを介して連結された各踏み板を階段状に並列させる。
【００１０】
そして、梯子を跳ね上げて連結ロッドの先端部が梯子取付部位から離脱すると、付勢部材によって梯子取付部位に押し当てる方向に付勢されていた連結ロッドがその付勢方向に動いて、各踏み板が階段状に並列した状態から支柱と平行状態になるように回動する。
【００１１】
【発明の実施の形態】
以下、本発明の実施形態を図面によって具体的に説明する。
図１は本発明に係る梯子の一例とその使用状態を示す縦断面図、図２は梯子の収納状態を示す縦断面図、図３は本発明に係る梯子の他の例を示す縦断面図、図４はその梯子取付部位の拡大斜視図である。
【００１２】
本例の梯子は、複数の踏み板１が左右一対の支柱２に対して前後方向に回動自在に取り付けられている。つまり、各踏み板１は、前後方向に回動するように、その左右両端が左右の支柱２に対して１本の軸３で取付支持されている。また、各踏み板１の下面側には、支柱２の長手方向に沿って平行に配した連結ロッド４に連結される平行リンクとなるアーム５が突設されている。
【００１３】
支柱２は、その上端部が、例えばトラックの荷台１５の後端部である梯子取付部位６に対して、ヒンジ７により上下方向に回動自在に取り付けられている。
【００１４】
また、支柱２には、梯子の使用時に、図１の如く、連結ロッド４の先端部を梯子取付部位６に押し当てて各踏み板１を階段状に並列させると共に、図１の状態から図２の如く梯子を垂直に跳ね上げて連結ロッド４の先端部が梯子取付部位６から離脱した時に、各踏み板１を支柱２と平行状態にするように回動させる付勢部材８が設けられている。
【００１５】
付勢部材８としては、バレル９内に封入されたガスの圧力によってピストンロッド１０を伸長方向に付勢するガスダンパが用いられており、そのバレル９の後端部が、支柱２に対して上下方向に回動自在に枢支されると共に、そのピストンロッド１０の先端部が、支柱２の上端側の踏み板１に設けたアーム５に枢支されている。
【００１６】
この付勢部材８によって梯子取付部位６に押し当てられる連結ロッド４の先端部には、梯子取付部位６に転接して上下方向に転がるローラー１１が取り付けられている。また、支柱２には、踏み板１の回動角度を規制するストッパ１２、１３が取り付けられている。
【００１７】
ストッパ１２は、図１の如く階段状に並列した踏み板１が、その上を歩く人の荷重によって傾くことを防止するためのものである。つまり、連結ロッド４の先端部が梯子取付部位６に押し当てられた使用時において、各踏み板１は、平行リンクとなるアーム５で連結された連結ロッド４を梯子取付部位６に押し当てる方向に傾動することはないが、付勢部材８として付勢力が数Ｋｇ〜数十Ｋｇ程度のガスダンパを用いると、その付勢力に抗して連結ロッド４を梯子取付部位から後退させる方向に傾動するおそれがあるので、これを防止するためのストッパ１２を設けている。
【００１８】
なお、付勢部材８として、例えば２００Kg程度の付勢力を有するガスダンパを用いれば、踏み板１の上を歩く人の荷重によって該踏み板１が連結ロッド４を梯子取付部位６から後退させる方向に傾動するおそれはないので、ストッパ１２を設ける必要はない。
【００１９】
ただし、ストッパ１２を設ければ、付勢力の小さい付勢部材８を用いて、梯子を人力で上げ下ろしできるようにすることも可能であるが、ストッパ１２を設ける必要がないほど付勢力の大きい付勢部材８を用いる場合は、梯子を上げ下ろしするために油圧シリンダ等の動力装置を設ける必要がある。
【００２０】
次に、ストッパ１３は、図２の如く梯子を跳ね上げて連結ロッド４の先端部が梯子取付部位６から離脱した時に、付勢部材８の付勢力によって支柱２と平行状態になるように回動せられた踏み板１を衝止して、その平行状態を保持するものである。
【００２１】
以上が、図示した梯子の構成であり、次にその動作について説明する。まず、図１の如く支柱２の下端部のシュー１４が接地せられた梯子の使用時は、支柱２に設けた付勢部材８の付勢力で連結ロッド４の先端部が梯子取付部位６に押し当てられて、連結ロッド４に平行リンクとなるアーム５を介して連結された各踏み板１が、階段状に並列した状態となっている。
【００２２】
また、各踏み板１は、支柱２に取り付けたストッパ１２に衝止されると共に、連結ロッド４の先端部が梯子取付部位６に衝止されることにより、その上を歩く人の荷重を受けて前後方向に傾動することが防止されて、安全に歩行できる水平状態に保持される。
【００２３】
そして、使用後は、梯子取付部位６にヒンジ７で取り付けられた支柱２の上端部を支点として図２の如く垂直に跳ね上げると、梯子取付部位６に押し当てられていた連結ロッド４の先端部が梯子取付部位６から離脱して、その連結ロッド４が付勢部材８で付勢された方向に前進することにより、該連結ロッド４に平行リンクとなるアーム５を介して連結された各踏み板１は、自動的に支柱２と平行状態になるように回動し、ストッパ１３に衝止されてその平行状態に保持される。
【００２４】
したがって、図２の如く梯子を荷台１５の後端部に垂直に立てて収納した時に、踏み板１が荷台１５の前後方向に出っ張らないので、梯子の収納スペースが非常に小さくて済む。また、踏み板１を支柱２と平行状態にする付勢部材８の付勢力によって、トラックの走行中に踏み板１がバタツキや騒音を生ずることが防止される。
【００２５】
また、梯子を図２の収納状態から図１の使用状態にする際は、付勢部材８の付勢力によって支柱２の上端部から突出せられた連結ロッド４の先端部に設けられているローラー１１が、梯子取付部位６の表面に接触してその表面を上下方向に転がることにより、連結ロッド４の先端部が梯子取付部位６に対して円滑に押し当てられると同時に、その連結ロッド４が付勢部材８の付勢力に抗する方向に押し動かされて、各踏み板１が階段状に並列した状態となる。
【００２６】
なお、支柱２にストッパ１２を設ければ、連結ロッド４の先端部を梯子取付部位６に押し当てる付勢部材の付勢力は比較的小さくても足りるので、本発明に係る付勢部材は、ガスダンパに限らず、コイルバネ等の簡易なものであってもよい。
【００２７】
また、本発明に係る梯子は、その使用時に、各踏み板１が階段状に並列して図１の如くステップを形成するのみならず、場合によっては、使用時も収納時と同じ様に各踏み板１が支柱２と平行状態を保持して図３の如くスロープを形成することができるようにしてもよい。
【００２８】
すなわち、図３の梯子は、その使用時に、車椅子や手押し荷車の通行を可能にするスロープも形成することができるようにしたもので、同図及び図４に示す如く、梯子取付部位６に、連結ロッド４の先端部を呑み込む穴２０と、その穴２０の開口部を開閉自在に塞ぐと共に連結ロッド４の先端部を押し当てて各踏み板１を階段状に並列させる蓋体２１とが設けられている。
【００２９】
蓋体２１は、梯子取付部位６にヒンジ２２で固定された鋼板によって、穴２０の開口部を開閉する開き戸式扉に構成されている。なお、付勢部材８は、連結ロッド４の先端部が穴２０に呑み込まれることにより支柱２と平行状態を保って図３の如きスロープを形成する各踏み板１が、その上を通行する人や車椅子等の荷重を受けて傾動しないように、２００Kg程度の付勢力を有するガスダンパを用いるのが望ましい。
【００３０】
しかして、通常使用する時は、梯子取付部位６の穴２０を蓋体２１で塞ぎ、その蓋体２１の表面に連結ロッド４の先端部が押し当てられて各踏み板１が図１の如く階段状に並列するようにしておく。
【００３１】
そして、車椅子や手押し荷車が通行するときは、図１の如き使用状態から一旦図２の如き収納状態に戻し、梯子取付部位６の穴２０を塞いでいる蓋体２１を図４の如く開放してから再び使用状態とする。
【００３２】
これにより、図３の如く、連結ロッド４の先端部が梯子取付部位６の穴２０に呑み込まれて、各踏み板１が支柱２と平行状態に保持されるため、車椅子や手押し荷車の通行も可能とするスロープが形成される。
【００３３】
なお、穴２０は、有底、無底を問わず、また、溝状の凹みを形成する溝穴であってもよく、その穴２０を開閉自在に塞ぐ蓋体２１は、開き戸式扉に限らず、引き戸式扉に構成してもよいし、キャップ式であってもよい。
【００３４】
【発明の効果】
本発明によれば、梯子を使用する時は、自動的に複数の踏み板が階段状に並列した状態となり、また、梯子を跳ね上げて収納するときは、自動的に各踏み板が梯子の支柱と平行状態になって、梯子全体をコンパクトに収納することができるという大変優れた効果がある。
【図面の簡単な説明】
【図１】本発明に係る梯子の一例とその使用状態を示す縦断面図
【図２】図１に示す梯子の収納状態を示す縦断面図
【図３】本発明に係る梯子の他の例を示す縦断面図
【図４】図３に示す梯子取付部位の拡大斜視図
【符号の説明】
１………………踏み板
２………………支柱
４………………連結ロッド
５………………アーム
６………………梯子取付部位
８………………付勢部材
１１………………ローラー
１２………………ストッパ
１３………………ストッパ
２０………………穴
２１………………蓋体
【図１】
0003927065.tif 000002
【図２】
0003927065.tif 000003
【図３】
0003927065.tif 000004
【図４】
0003927065.tif 000005